(57)【要約】      （修正有）【課題】スマートフォンに装着されるスマートフォンケースにストラップを取り付けることができて、ストラップを利用して落下を防止できるようにしたスマートフォンケースを提供する。【解決手段】後壁部３でスマートフォンの後面を覆うと共に左右側壁部４でスマートフォンの両側面を覆うように、ケース本体５がスマートフォンに外嵌固定して装着されるスマートフォンケースにおいて、ケース本体５に、内外貫通状の第１ストラップ孔１５と内外貫通状の第２ストラップ孔１６とが互いに間隔をおいて並んで設けられて、ケース本体５の第１ストラップ孔１５と第２ストラップ孔１６との間にストラップ取付部１８が形成されている。【選択図】図１
0003178612.tif 000002
【実用新案登録請求の範囲】
【請求項１】
後壁部（３）と後壁部（３）の左右両端から前方に突出した左右一対の側壁部（４）とを有するケース本体（５）を備え、後壁部（３）でスマートフォン（８）の後面を覆うと共に左右側壁部（４）でスマートフォン（８）の両側面を覆うように、ケース本体（５）がスマートフォン（８）に外嵌固定して装着されるスマートフォンケースにおいて、
ケース本体（５）に、内外貫通状の第１ストラップ孔（１５）と内外貫通状の第２ストラップ孔（１６）とが互いに間隔をおいて並んで設けられて、ケース本体（５）の第１ストラップ孔（１５）と第２ストラップ孔（１６）との間にストラップ取付部（１８）が形成されていることを特徴とするスマートフォンケース。
【請求項２】
前記第１ストラップ孔（１５）と第２ストラップ孔（１６）とが、ケース本体（５）の一方の側壁部（４）に上下に並んで設けられていることを特徴とする請求項１に記載のスマートフォンケース。
【請求項３】
前記第１ストラップ孔（１５）と第２ストラップ孔（１６）とは、前後方向の対向辺と上下方向の他の対向辺とを有する同形の四角形状に形成され、第１ストラップ孔（１５）と第２ストラップ孔（１６）とは上下方向に互いに間隔をおいて対向しており、第１ストラップ孔（１５）と第２ストラップ孔（１６）との間に、前記ストラップ取付部（１８）が前後方向に形成されていることを特徴とする請求項２に記載のスマートフォンケース。
【請求項４】
ケース本体（５）の後壁部（３）にスマートフォン（８）のカメラのレンズ部を露出するためのカメラ孔（１２）が設けられ、一方の側壁部（４）の上部にスマートフォン（８）のサイドボタンを露出するためのボタン孔（１３）が設けられ、前記一方の側壁部（４）の下部に前記第１ストラップ孔（１５）と第２ストラップ孔（１６）とが設けられていることを特徴とする請求項２又は３に記載のスマートフォンケース。
【考案の詳細な説明】
【技術分野】
【０００１】
本考案は、スマートフォンに装着されるスマートフォンケースに関するものである。
【背景技術】
【０００２】
スマートフォンケースには、後壁部と後壁部の左右両端から前方に突出した左右一対の側壁部とを有するケース本体を備え、後壁部でスマートフォンの後面を覆うと共に左右側壁部でスマートフォンの両側面を覆うように、ケース本体をスマートフォンに外嵌固定して装着するようにしたものがある。
従来のこの種のスマートフォンケースには、そのケース本体にストラップ孔が設けられていなかった（例えば特許文献１）。
【先行技術文献】
【特許文献】
【０００３】
【特許文献１】実用新案登録第３１７５４７８号公報
【特許文献２】実開昭６１−７７８２２号公報
【特許文献３】実用新案登録第３０５８１３３号公報
【考案の概要】
【考案が解決しようとする課題】
【０００４】
従って、従来では、スマートフォン自体にストラップ孔があっても、スマートフォンにスマートフォンケースを装着すると、ケース本体によってスマートフォンのストラップ孔が塞がれてしまい、このためスマートフォンにストラップを取り付けることができなくなった。また、スマートフォンケースのケース本体にストラップ孔が設けられていなかったため、スマートフォンケースにもストラップを取り付けることができなかった。
従って、従来では、スマートフォンにスマートフォンケースを装着すると、ストラップを取り付けることができず、スマートフォン乃至スマートフォンケースをストラップを利用して吊り下げることができなかった。
本考案は上記問題点に鑑み、スマートフォンに装着されるスマートフォンケースにストラップを取り付けることができて、ストラップを利用して落下を防止できるようにしたスマートフォンケースを提供することを目的とする。
なお、スマートフォンケース以外の携帯電話等の携帯端末ケースにはストラップ孔を設けたものあるが（上記特許文献２，３）が、この種の従来のものは、ストラップ孔は携帯端末に取り付けたストラップを単に通すための孔であり、ストラップ孔によって携帯端末ケース自体にはストラップを取り付けることができないものである。
【課題を解決するための手段】
【０００５】
本考案における課題解決のための具体的手段は、次の通りである。
この技術的課題を解決する本考案の技術的手段は、後壁部３と後壁部３の左右両端から前方に突出した左右一対の側壁部４とを有するケース本体５を備え、後壁部３でスマートフォン８の後面を覆うと共に左右側壁部４でスマートフォン８の両側面を覆うように、ケース本体５がスマートフォン８に外嵌固定して装着されるスマートフォンケースにおいて、
ケース本体５に、内外貫通状の第１ストラップ孔１５と内外貫通状の第２ストラップ孔１６とが互いに間隔をおいて並んで設けられて、ケース本体５の第１ストラップ孔１５と第２ストラップ孔１６との間にストラップ取付部１８が形成されている点にある。
また、本考案の他の技術的手段は、前記第１ストラップ孔１５と第２ストラップ孔１６とが、ケース本体５の一方の側壁部４に上下に並んで設けられている点にある。
また、本考案の他の技術的手段は、前記第１ストラップ孔１５と第２ストラップ孔１６とは、前後方向の対向辺と上下方向の他の対向辺とを有する同形の四角形状に形成され、第１ストラップ孔１５と第２ストラップ孔１６とは上下方向に互いに間隔をおいて対向しており、第１ストラップ孔１５と第２ストラップ孔１６との間に、前記ストラップ取付部１８が前後方向に形成されている点にある。
また、本考案の他の技術的手段は、ケース本体５の後壁部３にスマートフォン８のカメラのレンズ部を露出するためのカメラ孔１２が設けられ、一方の側壁部４の上部にスマートフォン８のサイドボタンを露出するためのボタン孔１３が設けられ、前記一方の側壁部４の下部に前記第１ストラップ孔１５と第２ストラップ孔１６とが設けられている点にある。
【考案の効果】
【０００６】
請求項１によれば、ストラップの連結紐を第１ストラップ孔と第２ストラップ孔に挿通して、ストラップ取付部に容易に連結することができ、ストラップをケース本体に簡単かつ確実に取り付けることができる。
従って、ケース本体によってスマートフォンのストラップ孔が塞がれても、ケース本体にストラップを取り付け、そのストラップを利用してスマートフォンをスマートフォンケースと共に吊り下げることができ、スマートフォンの落下を防ぐことができる。
請求項２によれば、幅の狭いケース本体の側壁部に、第１ストラップ孔と第２ストラップ孔とストラップ取付部とを上下方向に並べて配置することができて、幅の狭いケース本体の側壁部に、第１ストラップ孔と第２ストラップ孔とストラップ取付部とをコンパクトに配置することができる。
請求項３によれば、前後幅の狭い側壁部に前後方向のストラップ取付部をうまく形成することができ、ここにストラップの連結紐を連結して、ケース本体の側壁部からストラップを取り出すことができ、ストラップ取付部に連結したストラップを利用してスマートフォンケース乃至スマートフォンを首等に良好に吊り下げることができる。
請求項４によれば、スマートフォンにケース本体を装着したままでスマートフォンのカメラを使用することができるし、スマートフォンにケース本体を装着したままでスマートフォンのサイドボタンを使用することができる。
また、ケース本体の一方の側壁部に、第１ストラップ孔及び第２ストラップ孔とボタン孔とを極力上下方向に離間させた状態に配置することができる。このため、側壁部の上部側にボタン孔と第１ストラップ孔及び第２ストラップ孔とを集中して設けた場合とは異なり、側壁部の上部側の剛性が弱まることによってケース体のスマートフォンへの嵌合が甘くなるのを防ぐことができる。
しかも、第１ストラップ孔と第２ストラップ孔との間のストラップ取付部に、ストラップの連結紐を連結して、ケース本体の側壁部の下部から下方向に向けてストラップをうまく取り出すことができ、ストラップ取付部に連結したストラップを利用してスマートフォンケース乃至スマートフォンをその上部側を下に向けた状態で首等に体裁よく吊り下げることができる。
【図面の簡単な説明】
【０００７】
【図１】本考案の一実施形態を示すスマートフォンケースを背面側から見た斜視図である。
【図２】同図１のＡ−Ａ線断面図である。
【図３】同図１のＢ−Ｂ線断面図である。
【図４】同スマートフォンケースの下部の左側面図である。
【考案を実施するための形態】
【０００８】
以下、本考案の実施の形態を図面に基づいて説明する。
図１〜図４は本考案の一実施形態を示している。図１〜図４において、スマートフォンケース１は、後壁部３と後壁部３の左右両端から前方に突出した左右一対の側壁部４とを有するケース本体５を備える。ケース本体５は合成樹脂、アルミ等の金属板、革等により形成され、後壁部３でスマートフォン８の後面を覆うと共に左右側壁部４でスマートフォン８の両側面を覆うように、ケース本体５はスマートフォン８に密着状に外嵌固定して装着される。
ここで、スマートフォンとは、多機能な携帯電話であって、携帯電話とパソコン・携帯情報端末（ＰＤＡ）の機能を組み合わせたものをいい、タッチパネル式の端末が多いことから一部ではタッチパネル・ケータイとも呼ばれる。従来の携帯電話と比較して画面が広く通信機能が強化されており、多くのウェブ（ｗｅｂ）サイトがスマートフォンに対応しており、ウェブ（ｗｅｂ）サイトの閲覧が容易にでき、また、アプリケーションをダウンロードすることにより、自分好みに機能を強化することができる。また、スマートフォンは「携帯電話」というより「音声通話可能な携帯コンピュータ」という性格が強い。
また、スマートフォンケースとは、持ち運びに便利なスマートフォン専用の入れ物又は容器であって、合成樹脂、アルミ等の金属板、革等により構成され、ハードケースとソフトケースとがある。
なお、スマートフォンケース１は、上記の如く後壁部３と後壁部３の左右両端から前方に突出した左右一対の側壁部４とを有するケース本体５を備える他に、図示省略しているが、ケース本体５に装着された装飾具やビーズ等の装飾品等を備えていてもよいことは勿論である。
また、図２に２点鎖線で示すように、左右側壁部４の前端部に左右方向内方に折れ曲がった左右一対の折曲縁部１０を設け、左右の折曲縁部１０がスマートフォン８の前面の左右両端に接当することによって、ケース本体５がスマートフォン８に対して後方移動するのを規制するようにしてもよいし、特に必要でなければ、左右一対の折曲縁部１０を省略するようにしてもよい。
ケース本体５の後壁部３にスマートフォン８のカメラのレンズ部を露出するためのカメラ孔１２が設けられ、一方の側壁部４（左側の側壁部４）の上部にスマートフォン８のサイドボタンを露出するためのボタン孔１３が設けられている。
前記一方の側壁部４（左側の側壁部４）の下部に内外貫通状の第１ストラップ孔１５と内外貫通状の第２ストラップ孔１６とが上下に並んで設けられ、第１ストラップ孔１５と第２ストラップ孔１６とは上下に互いに間隔をおいて配置され、ケース本体５の第１ストラップ孔１５と第２ストラップ孔１６との間にストラップ取付部１８が形成されている。
前記第１ストラップ孔１５と第２ストラップ孔１６とは、前後方向の対向辺と上下方向の他の対向辺とを有する同形の四角形状に形成され、第１ストラップ孔１５と第２ストラップ孔１６とは上下方向に互いに間隔をおいて対向しており、第１ストラップ孔１５と第２ストラップ孔１６との間に、前記ストラップ取付部１８が前後方向に形成されている。
第１ストラップ孔１５及び第２ストラップ孔１６はその前後幅Ｗ１が３ｍｍ程度で、上下幅Ｗ２が３ｍｍ程度に設定されて、正方形の四角形状とされている。第１ストラップ孔１５と第２ストラップ孔１６との上下方向の離間幅Ｌは５ｍｍ程度に設定され、第１ストラップ孔１５及び第２ストラップ孔１６の前後幅Ｗ１及び上下幅Ｗ２よりも大に設定されている(図4を参照)。
上記実施形態によれば、スマートフォンケース１をスマートフォン８に装着する場合、例えば、図３に示すように、ストラップ２１の連結紐２２をケース本体５の第１ストラップ孔１５と第２ストラップ孔１６に挿通して、ストラップ取付部１８に連結した後に、図２に示すように、ケース本体５をスマートフォン８に密着状に外嵌固定すればよく、ケース本体５の後壁部３でスマートフォン８の後面を覆うと共に左右側壁部４でスマートフォン８の両側面を覆って、ケース本体５でスマートフォン８を保護することができ、また、ケース本体５にストラップ２１を取り付け、そのストラップ２１を利用してスマートフォン８をスマートフォンケース１と共に吊り下げることができる。
そして、本実施形態では、ケース本体５に、内外貫通状の第１ストラップ孔１５と内外貫通状の第２ストラップ孔１６とが互いに間隔をおいて並んで設けられて、ケース本体５の第１ストラップ孔１５と第２ストラップ孔１６との間にストラップ取付部１８が形成されているので、ストラップ２１の連結紐２２を第１ストラップ孔１５と第２ストラップ孔１６に挿通して、ストラップ取付部１８に容易に連結することができ、ストラップ２１をケース本体５に簡単かつ確実に取り付けることができる。
従って、ケース本体５によってスマートフォン８のストラップ孔が塞がれても、ケース本体５にストラップ２１を取り付け、そのストラップ２１を利用してスマートフォン８をスマートフォンケース１と共に吊り下げることができ、スマートフォン８の落下を防ぐことができる。
また、前記第１ストラップ孔１５と第２ストラップ孔１６とがケース本体５の一方の側壁部４に、上下に並んで設けられているので、幅の狭いケース本体５の側壁部４に、第１ストラップ孔１５と第２ストラップ孔１６とストラップ取付部１８とを上下方向に並べて配置することができて、幅の狭いケース本体５の側壁部４に、第１ストラップ孔１５と第２ストラップ孔１６とストラップ取付部１８とをコンパクトに配置することができる。
また、前記第１ストラップ孔１５と第２ストラップ孔１６とは、前後方向の対向辺と上下方向の他の対向辺とを有する同形の四角形状に形成され、第１ストラップ孔１５と第２ストラップ孔１６とは上下方向に互いに間隔をおいて対向しており、第１ストラップ孔１５と第２ストラップ孔１６との間に、前記ストラップ取付部１８が前後方向に形成されているので、前後幅の狭い側壁部４に前後方向のストラップ取付部１８をうまく形成することができ、ここにストラップ２１の連結紐２２を連結して、ケース本体５の側壁部４からストラップ２１を取り出すことができ、ストラップ取付部１８に連結したストラップ２１を利用してスマートフォンケース１乃至スマートフォン８を首等に良好に吊り下げることができる。
また、ケース本体５の後壁部３にスマートフォン８のカメラのレンズ部を露出するためのカメラ孔１２が設けられ、一方の側壁部４の上部にスマートフォン８のサイドボタンを露出するためのボタン孔１３が設けられ、前記一方の側壁部４の下部に前記第１ストラップ孔１５と第２ストラップ孔１６とが設けられているので、スマートフォン８にケース本体５を装着したままでスマートフォン８のカメラを使用することができるし、スマートフォン８にケース本体５を装着したままでスマートフォン８のサイドボタンを使用することができる。
また、ケース本体５の一方の側壁部４に、第１ストラップ孔１５及び第２ストラップ孔１６とボタン孔１３とを極力上下方向に離間させた状態に配置することができる。このため、側壁部４の上部側にボタン孔１３と第１ストラップ孔１５及び第２ストラップ孔１６とを集中して設けた場合とは異なり、側壁部４の上部側の剛性が弱まることによってケース本体５のスマートフォン８への嵌合が甘くなるのを防ぐことができる。
しかも、第１ストラップ孔１５と第２ストラップ孔１６との間のストラップ取付部１８に、ストラップ２１の連結紐２２を連結して、ケース本体５の側壁部４の下部から下方向に向けてストラップ２１をうまく取り出すことができ、ストラップ取付部１８に連結したストラップ２１を利用してスマートフォンケース１乃至スマートフォン８をその上部側を下に向けた状態で首等に体裁よく吊り下げることができる。
なお、前記実施形態では、第１ストラップ孔１５及び第２ストラップ孔１６を四角形状に形成しているが、これに代え、第１ストラップ孔１５及び第２ストラップ孔１６を円形、三角形状又は楕円形状その他の形状に形成してもよい。
また、前記実施形態では、第１ストラップ孔１５及び第２ストラップ孔１６を一方の側壁部４（左側の側壁部４）の下部に形成しているが、これに代え、例えばスマートフォンの仕様によりその左側面の下部に、サイドボタンやスピーカ口がある場合には、他方の側壁部４（右側の側壁部４）の下部に、第１ストラップ孔１５及び第２ストラップ孔１６を上下に離間して並べて設けるようにしてもよい。また、第１ストラップ孔１５及び第２ストラップ孔１６を、後壁部３に左右又は上下に離間して並べて設けるようにしてもよい。
また、ケース本体５に、後壁部３及び左右側壁部４に加えて、図２に鎖線で示す如く、スマートフォン８の上端面を覆う上壁部２４又はスマートフォン８の下端面を覆う下壁部２５を設け、上壁部２４又は下壁部２５に、第１ストラップ孔１５及び第２ストラップ孔１６を、左右に離間して並べて設けるようにしてもよい。
さらに、第１ストラップ孔１５と第２ストラップ孔１６とを側壁部４と後壁部３とに分けて設けるようにしてもよいし、第１ストラップ孔１５と第２ストラップ孔１６とをそれぞれ側壁部４と後壁部３とに跨って設けるようにしてもよい。
【符号の説明】
【０００９】
１      スマートフォンケース
３      後壁部
４      側壁部
５      ケース本体
８      スマートフォン
１２    カメラ孔
１３    ボタン孔
１５    第１ストラップ孔
１６    第２ストラップ孔
１８    ストラップ取付部
【図１】
0003178612.tif 000003
【図２】
0003178612.tif 000004
【図３】
0003178612.tif 000005
【図４】
0003178612.tif 000006